【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
計量プレートに噴孔を形成し、計量プレートの上流側の面に沿って流される燃料を、噴孔を通して計量プレートの下流側の面の外方に噴射する燃料噴射弁において、
噴孔を通る燃料を旋回流ならしめるための旋回流発生手段を有し、旋回流発生手段が、噴孔の入口の壁面につながるように計量プレートの上流側の面に設けられた旋回流発生溝から成り、
該旋回流発生溝は溝を流れる燃料の主流が噴孔の中心からずれた位置に向かうようにされており、
旋回流発生溝の深さをＦ、長さをＮ、巾をＨ、長さ方向の中心線の噴孔の中心からの偏心量をＢとしたときに、
Ｌ×１／５＜Ｆ＜Ｌ×２／３，
Ｄ×１／２＜Ｎ＜Ｄ×３，
Ｄ×１／５＜Ｈ＜Ｄ×２／３，
Ｄ×１／５＜Ｂ＜Ｄ×１／２，という関係を有する、ことを特徴とする燃料噴射弁。
【請求項２】
旋回流発生溝が、計量プレートの外周側からの流れを導くように形成されている、ことを特徴とする請求項１に記載の燃料噴射弁。
【請求項３】
旋回流発生溝が、一つの噴射孔に対して複数個設けられている、ことを特徴とする請求項１に記載の燃料噴射弁。
【請求項４】
旋回流発生溝の深さが、噴孔に向かって、一定、あるいは、増大、あるいは、減少している、ことを特徴とする請求項１に記載の燃料噴射弁。
【請求項５】
旋回流発生溝の形状が、長方形、半楕円形、噴孔側に一頂点を有する三角形、端部側に一頂点を有する三角形、燃料の旋回方向に合うように彎曲された勾玉形状のいずれかにされている、ことを特徴とする請求項１に記載の燃料噴射弁。
【請求項６】
旋回流発生溝が、燃料が噴孔に流入する時に旋回をしているように燃料に予旋回を付与し得る予旋回付与機能を有する、ことを特徴とする請求項１に記載の燃料噴射弁。
【請求項７】
計量プレートに噴孔を形成し、計量プレートの上流側の面に沿って流される燃料を、噴孔を通して計量プレートの下流側の面の外方に噴射する燃料噴射弁において、
噴孔を通る燃料を旋回流ならしめる旋回流発生手段を有し、旋回流発生手段が計量プレートの上面に形成されたガイド突起から成る、ことを特徴とする燃料噴射弁。
【請求項８】
計量プレートに噴孔を形成し、計量プレートの上流側の面に沿って流される燃料を、噴孔を通して計量プレートの下流側の面の外方に噴射する燃料噴射弁であって、計量プレートの上流側に計量プレートに対向する先端面を有するニードルが対向配置されているものにおいて、
噴孔を通る燃料を旋回流ならしめる旋回流発生手段を有し、旋回流発生手段がニードルの先端面に形成されたガイド突起である、ことを特徴とする燃料噴射弁。
【手続補正２】
【補正対象書類名】明細書
【補正対象項目名】０００５
【補正方法】変更
【補正の内容】
【０００５】
請求項１の発明によれば、計量プレートに噴孔を形成し、計量プレートの上流側の面に沿って流される燃料を噴孔を通して計量プレートの下流側の面の外方に噴射する燃料噴射弁において、噴孔を通る燃料を旋回流ならしめるための旋回流発生手段を有し、旋回流発生手段が、噴孔の入口の壁面につながるように計量プレートの上流側の面に設けられた旋回流発生溝から成り、
該旋回流発生溝は溝を流れる燃料の主流が噴孔の中心からずれた位置に向かうようにされており、
旋回流発生溝の深さをＦ、長さをＮ、巾をＨ、長さ方向の中心線の噴孔の中心からの偏心量をＢとしたときに、
Ｌ×１／５＜Ｆ＜Ｌ×２／３，
Ｄ×１／２＜Ｎ＜Ｄ×３，
Ｄ×１／５＜Ｈ＜Ｄ×２／３，
Ｄ×１／５＜Ｂ＜Ｄ×１／２、という関係を有するようにされている燃料噴射弁が提供される。
このように構成される燃料噴射弁では、燃料は噴孔内で旋回流にされて噴孔か出ていくのでメガホン状に拡散され液柱噴霧を形成せずに良好に微粒化される。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
請求項２の発明によれば、請求項１の発明において、旋回流発生溝が、計量プレートの外周側からの流れを導くように形成されている、ことを特徴とする燃料噴射弁が提供される。
【手続補正６】
【補正対象書類名】明細書
【補正対象項目名】０００９
【補正方法】変更
【補正の内容】
【０００９】
請求項３の発明によれば、請求項１の発明において、旋回流発生溝が、一つの噴射孔に対して複数個設けられている、ことを特徴とする燃料噴射弁が提供される。
このように構成される燃料噴射弁では複数の旋回流発生溝により、強い旋回流を燃料に与えることができる。
【手続補正７】
【補正対象書類名】明細書
【補正対象項目名】００１０
【補正方法】変更
【補正の内容】
【００１０】
請求項４の発明によれば、請求項１の発明において、旋回流発生溝の深さが、噴孔に向かって、一定、あるいは、増大、あるいは、減少している、ことを特徴とする燃料噴射弁が提供される。
【手続補正８】
【補正対象書類名】明細書
【補正対象項目名】００１１
【補正方法】変更
【補正の内容】
【００１１】
請求項５の発明によれば、請求項１の発明において、旋回流発生溝の計量プレートの形状が、長方形、半楕円形、噴孔側に一頂点を有する三角形、端部側に一頂点を有する三角形、燃料の旋回方向に合うように彎曲された勾玉形状のいずれかにされている、ことを特徴とする燃料噴射弁が提供される。
【手続補正９】
【補正対象書類名】明細書
【補正対象項目名】００１２
【補正方法】変更
【補正の内容】
【００１２】
請求項６の発明によれば、請求項１の発明において、旋回流発生溝が、燃料が噴孔に流入する時に旋回をしているように燃料に予旋回を付与し得る予旋回付与機能を有する、ことを特徴とする燃料噴射弁が提供される。
【手続補正１０】
【補正対象書類名】明細書
【補正対象項目名】００１３
【補正方法】変更
【補正の内容】
【００１３】
請求項７の発明によれば、計量プレートに噴孔を形成し、計量プレートの上流側の面に沿って流される燃料を、噴孔を通して計量プレートの下流側の面の外方に噴射する燃料噴射弁において、
噴孔を通る燃料を旋回流ならしめる旋回流発生手段を有し、旋回流発生手段が、計量プレートの上面に形成されたガイド突起から成る、ことを特徴とする燃料噴射弁が提供される。
このように構成される燃料噴射弁では、プレートの上面に形成されたガイド突起により燃料は噴孔内で旋回流にされ噴孔か出ていくのでメガホン状に拡散され液柱噴霧を形成せずに良好に微粒化される。
【手続補正１１】
【補正対象書類名】明細書
【補正対象項目名】００１４
【補正方法】変更
【補正の内容】
【００１４】
請求項８の発明によれば、計量プレートに噴孔を形成し、計量プレートの上流側の面に沿って流される燃料を、噴孔を通して計量プレートの下流側の面の外方に噴射する燃料噴射弁であって、計量プレートの上流側に計量プレートに対向する先端面を有するニードルが対向配置されているものにおいて、
噴孔を通る燃料を旋回流ならしめる旋回流発生手段を有し、旋回流発生手段がニードルの先端面に形成された突起である、ことを特徴とする燃料噴射弁が提供される。
このように構成される燃料噴射弁では、ニードルの先端面に形成されたガイド突起に燃料は噴孔内で旋回流にされ噴孔か出ていくのでメガホン状に拡散され液柱噴霧を形成せずに良好に微粒化される。